(57)【特許請求の範囲】
【請求項１】
所定長さにアルミ押出材を切断加工して形成しそれぞれ上下端に端部キャップを配置した躯体固定柱と被嵌調整柱とを対として備え且つ該被嵌調整柱を躯体側の面を開放しその先端から幅方向中間の補強壁間を嵌合溝部とし該嵌合溝部に上記躯体固定柱を被嵌することによって躯体固定柱に対して被嵌調整柱を嵌合溝部の幅内で幅方向出幅調整自在に配置した門柱であって，上記躯体固定柱と被嵌調整柱の長さを同長に形成する一方，上記躯体固定柱側の端部キャップを該躯体固定柱の底壁に対して脚部をネジ固定して上下切断縁部に周縁部を載置することによって上下端面を被覆するフラットな形状に構成し，上記被嵌調整柱の端部キャップを該被嵌調整柱の先端壁に対して脚部をネジ固定してその外周縁部を切断縁部に載置することによって該外周縁部を被覆するとともに該外周縁部から傾斜部を介して端部キャップの背面に後端開口の逃しスペースを形成した隆起面とすることによって上記上下端の躯体固定柱と被嵌調整柱の端部キャップをそれぞれ異高段差状に配置してなることを特徴とするマンション用の幅調整自在門柱。
【発明の詳細な説明】
【０００１】
【発明の属する技術分野】
本発明は，マンションの玄関スペースを共用スペースと区分するように門扉を設置するに，門扉本体を支持するように用いるマンション用の幅調整自在門柱に関する。
【０００２】
【従来の技術及び発明が解決しようとする課題】
マンションの玄関スペースを廊下等の共用スペースと区分するように工場生産による規格の門扉を設置しようとしても，建物の設計寸法が区々であるために，門扉を設置する開口における躯体の間隔と門扉の幅寸法とが一致しないことが多く，従って門柱を躯体に固定する以外に門柱を立設し難い状況にあるマンションにおいては，例えば躯体にブラッケットを設置し，該ブラケットに門柱を幅調整自在に支持することによって，また例えば間仕切壁の柱設置のように門柱を躯体への固定柱とこれに対して出幅調整自在に配置固定した被嵌調整柱とを対として用いて形成し，躯体の間隔と規格の門扉との寸法差を吸収調整するように構成する必要が生じる。
【０００３】
しかしブラケットを用いて寸法差を吸収調整すると，一般にブラケットが露出するとともに柱と躯体との間に隙間を生じることによって設置外観を損なう傾向を招き易い。また躯体固定柱と被嵌調整柱を対として用いると，一般に１ｍ乃至１．３ｍ程度の高さにして下端を幾分床面から離して設置される門柱にあっては，視線を受け易い上下端の目隠しと手を切る等の危険を防止するために該切断面を端部キャップによって被覆する必要を生じるが，このとき躯体固定柱と被嵌調整柱の長さ（高さ）を同長とすると端部キャップ同士が同位置となるために被嵌調整柱の配置固定ができなくなる一方，対をなす躯体固定柱と調整柱の長さを異長とすればこれらの間の寸法差によってその配置固定を可能とすることができるが，躯体固定柱及び被嵌調整柱の長さ等の加工をそれぞれの寸法に合せて行う必要が生じて加工が煩雑となる問題点を残すとともに門柱設置に際してこれら躯体固定柱と調整柱を異長に配置する位置合せと該位置合せ状態における固定を行う必要が生じて同じく設置作業が煩雑となる問題点を残している。
【０００４】
本発明は係る事情に鑑みてなされたもので，その解決課題とするところは，対に用いる端部キャップを備えた躯体固定柱と被嵌調整柱を同長として躯体の間隔と規格の門扉の寸法差を吸収調整し得るようにし，その加工と設置作業を可及的簡易且つ確実になし得るようにするとともに設置外観を可及的良好とし得るようにしたマンション用の幅調整自在門柱を提供するにある。
【０００５】
【課題を解決するための手段】
上記課題に添って本発明は，上下端の目隠し化粧と危険防止を行う端部キャプを配置したアルミ押出材の躯体固定柱と被嵌調整柱を対に備えるとともにこれら躯体固定柱と被嵌調整柱とを，躯体固定柱に対して被嵌調整柱を嵌合溝部の幅内で幅方向出幅調整自在に配置して門柱を構成する一方，これらの躯体固定柱と被嵌調整柱を同長に形成してその切断等における加工の容易性を確保し，また端部キャップを配置することによる躯体固定柱と被嵌調整柱の被嵌調整の障害を解消するようにこれら端部キャップを躯体固定柱と被嵌調整柱間で異高段差状をなすように配置するようにし，該異高段差状の配置を，上記躯体固定柱側の端部キャップにおいて脚部を躯体固定柱の底壁にネジ固定し該躯体固定柱の上下端の切断縁部に周縁部を載置してこれを被覆するフラット形状とし，また上記被嵌調整柱の端部キャップにおいて脚部を被嵌調整柱の先端壁にネジ固定してその外周縁部を切断縁部に載置してこれを被覆するとともにこの外周縁部から傾斜部を介して隆起面として端部キャップの背面に後端開口の逃しスペースを形成することによって可能とし，これによって対をなす同長の躯体固定柱と被嵌調整柱の相互の被嵌固定をスムーズ且つ確実になし得るようにするとともに該被嵌固定によって幅調整した躯体固定柱と被嵌調整柱の上下端に設置した端部キャップの納まり間隔を可及的に僅少化しこれらの間の段差を小さくし得るようにして設置外観を良好としたものであって，即ち本発明は，所定長さにアルミ押出材を切断加工して形成しそれぞれ上下端に端部キャップを配置した躯体固定柱と被嵌調整柱とを対として備え且つ該被嵌調整柱を躯体側の面を開放しその先端から幅方向中間の補強壁間を嵌合溝部とし該嵌合溝部に上記躯体固定柱を被嵌することによって躯体固定柱に対して被嵌調整柱を嵌合溝部の幅内で幅方向出幅調整自在に配置した門柱であって，上記躯体固定柱と被嵌調整柱の長さを同長に形成する一方，上記躯体固定柱側の端部キャップを該躯体固定柱の底壁に対して脚部をネジ固定して上下切断縁部に周縁部を載置することによって上下端面を被覆するフラットな形状に構成し，上記被嵌調整柱の端部キャップを該被嵌調整柱の先端壁に対して脚部をネジ固定してその外周縁部を切断縁部に載置することによって該外周縁部を被覆するとともに該外周縁部から傾斜部を介して端部キャップの背面に後端開口の逃しスペースを形成した隆起面とすることによって上記上下端の躯体固定柱と被嵌調整柱の端部キャップをそれぞれ異高段差状に配置してなることを特徴とするマンション用の幅調整自在門柱とし，これを発明の要旨として上記課題解決の手段としたものである。
【０００６】
【発明の実施の形態】
以下図面の例に従って本発明を更に具体的に説明すれば，Ａはマンション用の門扉，Ｂはマンションの躯体であり，門扉Ａは，左右に一対の門柱１と，該一対の門柱１間に前後開閉自在に配置した門扉本体７とを備えたアルミ製規格の片開き門扉としてあり，本例の門扉Ａにおける上記一対の門柱１は，その一方を門扉本体吊持ち支持用，他方を門扉本体戸当り用とし，門扉本体７は，これら一対の門柱１のうち上記門扉本体吊持ち支持用の門柱１にヒンジ連結することによって前後開閉自在とした上記片開き用の単一のものとしてある。
【０００７】
門柱１は，それぞれ上下端に端部キャップ４，５を配置した躯体固定柱２と被嵌調整柱３とを対として備え，躯体固定柱２に対して被嵌調整柱３を出幅調整自在に配置固定することによって，躯体Ｂの間隔と門扉Ａの寸法差を吸収調整するようにしてあり，本例の門扉Ａにあって，上記左右に一対の門柱１の双方をそれぞれ躯体固定柱２と被嵌調整柱３によるものとし，上記寸法差の吸収調整を該双方の門柱Ａにおいて可能とすることによって調整可能寸法を可及的に大きくするようにしてある。
【０００８】
上記躯体固定柱２と上記被嵌調整柱３は，所定長さにアルミ押出材を切断加工して形成してあり，このときこれら躯体固定柱２と被嵌調整柱３とは，その長さを同長に形成したものとしてあり，被嵌調整柱３は，これを，該被嵌調整柱３を躯体Ｂ側の面を開放しその先端から幅方向中間の補強壁３２間を嵌合溝部３１とし該嵌合溝部３１に上記躯体固定柱２を被嵌することによって躯体固定柱２に対して被嵌調整柱３を嵌合溝部３１の幅内で幅方向出幅調整自在に配置し，固定金具６によって固定することによって躯体固定柱２に対して被嵌固定するようにしてあり，本例にあって上記同長の長さは，これを１ｍ程度としてある。
【０００９】
本例にあって躯体固定柱２は，アルミ押出材のＣ字チャンネル材を上記１ｍ程度の所定長さに切断し，対向する側壁間を繋ぐ底壁に所定の間隔で複数のアンカー孔を穿設し，上記一対の門柱に共通のものとしてある。また被嵌調整柱３も，同じくアルミ押出材を上記１ｍ程度の上記躯体固定柱２の長さと同長に切断し，躯体Ｂ側を上記躯体固定柱２の幅に合せて開口して上記嵌合溝部３１を配置するとともにその奥行方向中間に躯体固定柱２の嵌合ストッパーを兼ねる上記補強壁３２を配置し，また対向する側壁には先端で嵌合溝部３１の上記躯体固定柱２に合せた開口を画するように対向方向に突出するネジ止め用溝状の凹陥部３３を配置してあり，このとき本例の被嵌調整柱３は，上記門扉本体吊持ち支持用の門柱Ａにあってヒンジ３５設置側一方の側壁内側にヒンジ３５ネジ止め用の裏板３６を受け入れる幅広のスペースを上記凹陥部３３に並んで，上記門扉本体戸当り用の門柱Ａにあって戸当りブロック３７設置側一方の側壁内側に同じくそのネジ止め用の裏板３８を受け入れる幅狭の中空部を上記凹陥部３３に並んでそれぞれ配置したものとしてある。
【００１０】
これら躯体固定柱２及び被嵌調整柱３の上下端に配置した端部キャップ４，５は，躯体固定柱２及び被嵌調整柱３の上下端面を被覆するようにそれぞれその外形に合わせるように配置してあり，上記躯体固定柱２の端部キャップ４は，これを，該躯体固定柱２の底壁２１に対して脚部４２をネジ６固定して上下切断縁部に周縁部を載置することによって上下端面を被覆するフラットな形状に構成し，上記被嵌調整柱３の端部キャップ５は，これを，該被嵌調整柱３の先端壁に対して脚部５５をネジ６固定してその外周縁部５２を切断縁部に載置することによって該外周縁部５２を被覆するとともに該外周縁部５２から傾斜部を介して端部キャップ５の背面に後端開口の逃しスペース５４を形成した隆起面５３とすることによって上記上下端の躯体固定柱２と被嵌調整柱３の端部キャップ４，５をそれぞれ異高段差状に配置してある。
【００１１】
本例にあって端部キャップ４，５は，合成樹脂，アルミ鋳物等の成型品を用いてそれぞれ躯体固定柱２及び被嵌調整柱３の上下端に嵌着し，該躯体固定柱２，被嵌調整柱３の上下端面をその外形に合せて被覆し，上端においてこれらの切断端縁やその中空の構造が外部に露出するのを防止して設置外観を良好に確保するようにし，下端においてこれら断面の切断端縁が外部に露出するのを防止して該切断面によって手や足を切る危険を防止するようにしてある。
【００１２】
本例にあって躯体固定柱２の端部キャップ４は，フラットにして１〜２ｍｍ程度厚の平面矩形の被覆基部４１と，該被覆基部４１の下方に躯体固定柱２の肉厚分内側に寄った位置から躯体固定柱２の長手方向に突出しその開口側と同じ前端側を開口した横断面コ字状の脚部４２とを備えて一体に成型したものとしてあり，該脚部４２を躯体固定柱２の上下端に嵌合挿入し，その後壁を躯体固定柱２の底壁２１に対接してネジ６止め固定することによって躯体固定柱２の上下端面を塞ぐようにそれぞれ嵌着してあり，このとき端部キャップ４の被覆基部４１の平面形状を躯体固定柱２の外形に合せてその切断縁部上に周縁部を載置するように該切断縁部を密着被覆するようにしてある。
【００１３】
本例にあって被嵌調整柱３の端部キャップ５は，外周縁部５２と該外周縁部５２面内側の隆起面５３とを有する同じく平面矩形をなす被覆基部５１と，該被覆基部５１の下方に外周縁部５２から被嵌調整柱３の肉厚分内側に寄った位置より被覆調整柱３の長手方向に突出しその開口側と同じ後端側を開口するとともに中間に被嵌調整柱３の補強壁３２に合せてフィンを垂下した横断面コ字状にして該フィンを有する脚部５５とを備えて一体に成型したものとしてあり，同様に該脚部５５を被嵌調整柱３の上下端に嵌合挿入し，その前壁を被嵌調整柱３の側面の先端壁に対接してネジ６止め固定することによって同じく被嵌調整柱３の上下端面を塞ぐように嵌着してある。このとき上記外周縁部５２と隆起面５３とはそれぞれ内側に向けて上昇する傾斜部を介して配置し，外周縁部５２と隆起面５３との間に上記躯体固定柱２の端部キャップ４における被覆基部４１の厚さより僅かに高い寸法，例えば２〜３ｍｍ程度の段差を形成するように，上下方向外方，上端にあっては上方，下端にあっては下方に隆起面５３を浮かし配置し，該隆起面５３の裏側に上記段差による逃しスペース５４を形成配置したものとしてある。このように形成した端部キャップ５は，これを被嵌調整柱３の外形に合せてその切断縁部上に上記外周端部５２を載置するように嵌着し，これによって該切断縁部を外周縁部５２によって密着被覆するとともに上記段差による逃しスペース５４を後方，即ち躯体固定柱２側に開口するように配置することによって，上記躯体固定柱２の端部キャップ４を，この被嵌調整柱３の端部キャップ５における逃しスペース５４にスライド挿入自在とするようにしてある。
【００１４】
本例の門柱１にあっては，躯体固定柱２の底壁２１を躯体Ｂに対接し，アンカー孔を介したアンカー２２によってこれを躯体Ｂに固定し，次いで被嵌調整柱３の上下端を躯体固定柱２の上下端と合せるように高さを一致させて，被嵌調整柱３の嵌合溝部３１に躯体固定柱２を嵌合するように，被嵌調整柱３を躯体固定柱２に被嵌して，その出幅調整を行い，被嵌調整柱３の凹陥部３３からその長手方向所定間隔多数のネジ６を躯体固定柱２に螺入して該被嵌調整柱３を躯体固定柱２に固定するようにその設置を行えばよく，このとき同長とした躯体固定柱２と被嵌調整柱３は，被嵌調整柱３の上下端に嵌着して配置した端部キャップ５が上記２〜３ｍｍの段差をなすように浮かし配置した隆起面５３とその裏側の逃しスペース５４を備える一方，躯体固定柱２の端部キャップ４は躯体固定柱２からその厚さを１〜２ｍｍとする略フラットにして外形を躯体固定柱２に合せるように配置してあるから，躯体固定柱２と被嵌調整柱３の端部キャップ４，５同士が異高段差状の配置関係となるとともに被嵌調整柱３による躯体固定柱２の被嵌に際して，躯体固定柱２の端部キャップ４は被嵌調整柱３の端部キャップ５の上記逃しスペース５４にスライド挿入し，これを該逃しスペース５４内に納めることが可能となる。
【００１５】
従って躯体Ｂ間の間隔に対して門扉Ａを設置するについて，一対の門柱１の各出幅調整が可能となり，躯体Ｂ間の間隔と規格の門扉Ａの寸法差を吸収調整して隙間のない門扉Ａの設置ができるようになり，このとき躯体固定柱２と被嵌調整柱３を対として使用するも，これらを同長としてその加工の容易性を確保可能とし，これら同長の躯体固定柱２と被嵌調整柱３の上下端にその目隠し化粧と安全確保のためにそれぞれ端部キャップ４，５を設置しながら，端部キャップ４，５同士を異高段差状に配置し被嵌調整柱３上下端の端部キャップ５に形成した逃しスペース５４に躯体固定柱２上下端の端部キャップ３をスライド挿入自在とすることによって，端部キャップ４，５が被嵌固定の障害となるのを防止して，そのスムーズにして確実な被嵌とこれによる出幅調整を可能とするとともに該被嵌固定の状態における端部キャップ４，５双方の間に生じる段差を１〜２ｍｍ程度の僅少としてその納まりと設置外観を良好に確保することができる。
【００１６】
図中３４は上記被嵌調整柱３の凹陥部３３及びその固定用のネジ６を被覆するように該凹陥部３３にスナップイン設置したカバープレート，７１は門扉本体７の錠，７２はそのレバーハンドル，７３は門扉本体７側の戸当り金具を示す。
【００１７】
図示した例は以上のとおりとしたが，一対の門柱を用いるも，その一方の門柱を上記幅調整自在とし，他方の門柱を非調整用所定幅のものとすること，一対の門柱にそれぞれ門扉本体をヒンジ連結して両開き門扉とすること等を含めて本発明の実施に当って，躯体固定柱，被嵌調整柱，端部キャップ等の各具体的形状，構造，材質，これらの関係，これらに対する付加等は，上記発明の要旨に反しない限り，その形態を様々のものとすることができる。
【００１８】
【発明の効果】
本発明は以上のとおりに構成したから，上下端の目隠し化粧と危険防止を行う端部キャプを配置したアルミ押出材の躯体固定柱と被嵌調整柱を対に備えるとともにこれら躯体固定柱と被嵌調整柱とを，躯体固定柱に対して被嵌調整柱を嵌合溝部の幅内で幅方向出幅調整自在に配置して門柱を構成する一方，これらの躯体固定柱と被嵌調整柱を同長に形成してその切断等における加工の容易性を確保し，また端部キャップを配置することによる躯体固定柱と被嵌調整柱の被嵌調整の障害を解消するようにこれら端部キャップを躯体固定柱と被嵌調整柱間で異高段差状をなすように配置するようにし，該異高段差状の配置を，上記躯体固定柱側の端部キャップにおいて脚部を躯体固定柱の底壁にネジ固定し該躯体固定柱の上下端の切断縁部に周縁部を載置してこれを被覆するフラット形状とし，また上記被嵌調整柱の端部キャップにおいて脚部を被嵌調整柱の先端壁にネジ固定してその外周縁部を切断縁部に載置してこれを被覆するとともにこの外周縁部から傾斜部を介して隆起面として端部キャップの背面に後端開口の逃しスペースを形成することによって可能とし，これによって対をなす同長の躯体固定柱と被嵌調整柱の相互の被嵌固定をスムーズ且つ確実になし得るようにするとともに該被嵌固定によって幅調整した躯体固定柱と被嵌調整柱の上下端に設置した端部キャップの納まり間隔を可及的に僅少化しこれらの間の段差を小さくし得るようにして設置外観を良好としたマンション用の幅調整自在門柱を提供することができる。
【図面の簡単な説明】
【図１】門扉の正面図である。
【図２】門扉の平面図である。
【図３】門柱の構造を示す横断面図である。
【図４】門柱上端部分の拡大側面図である。
【図５】門柱の構造を示す縦断面図である。
【符号の説明】
Ａ  門扉
Ｂ  躯体
１  門柱
２  躯体固定柱
３  被嵌調整柱
３１  嵌合溝部
４  端部キャップ
５  端部キャップ
５２  外周縁部
５３  逃しスペース
【図１】
0003629249.tif 000002
【図２】
0003629249.tif 000003
【図３】
0003629249.tif 000004
【図４】
0003629249.tif 000005
【図５】
0003629249.tif 000006